(57)【要約】【課題】使用者が洗浄水の圧力変動の状態を容易に認知することができる衛生洗浄装置を提供する。【解決手段】衛生洗浄装置を遠隔操作するリモートコントローラ３００は、スピーカ３０１、水勢調整スイッチ３０２ａ，３０２ｂ、水勢表示パネル３９０および噴出状態表示パネル３９１を備える。使用者による水勢調整スイッチ３０２ａ，３０２ｂの押下操作に応じて、衛生洗浄装置が備える制御部はポンプの吐出圧力の圧力変動周期および圧力変動幅を制御する。そして、現在噴出されている洗浄水の圧力変動の状態が、スピーカ３０１、水勢表示パネル３９０および噴出状態表示パネル３９１により使用者に通知される。【選択図】　　　　図２
2004027678.tif 000002
【特許請求の範囲】
【請求項１】
供給源から供給される洗浄水を人体に噴出する衛生洗浄装置であって、
洗浄水を噴出する噴出手段と、
前記供給源から供給される洗浄水に周期的な圧力変動を与えつつ洗浄水を加圧して前記噴出手段から噴出させる加圧手段と、
前記加圧手段による圧力変動の態様を設定するための設定手段と、
前記設定手段の設定に基づいて前記加圧手段による圧力変動の態様を制御する制御手段と、
前記噴出手段より噴出する洗浄水の圧力変動の態様を使用者に認知させる認知手段とを備えたことを特徴とする衛生洗浄装置。
【請求項２】
前記認知手段は、
前記噴出手段より噴出する洗浄水の圧力変動の態様を使用者に視覚を通じて認知させる第１の表示手段を含むことを特徴とする請求項１記載の衛生洗浄装置。
【請求項３】
前記第１の表示手段は、
前記噴出手段より噴出する洗浄水の圧力変動の態様を波形により表示することを特徴とする請求項２記載の衛生洗浄装置。
【請求項４】
前記認知手段は、
前記噴出手段より噴出する洗浄水の圧力変動の態様を使用者に聴覚を通じて認知させる音声出力手段を含むことを特徴とする請求項１〜３のいずれかに記載の衛生洗浄装置。
【請求項５】
前記噴出手段より噴出する洗浄水の流量を調整する流量調整手段をさらに備え、
前記制御手段は、前記設定手段の設定に基づいて前記流量調節手段により前記噴出手段より噴出する洗浄水の流量を調整することを特徴とする請求項１〜４のいずれかに記載の衛生洗浄装置。
【請求項６】
前記認知手段は、
前記噴出手段より噴出する洗浄水の流量を使用者に視覚を通じて認知させる第２の表示手段を含むことを特徴とする請求項５記載の衛生洗浄装置。
【請求項７】
前記認知手段は、
前記噴出手段より噴出する洗浄水の流量を使用者に聴覚を通じて認知させる音声出力手段を含むことを特徴とする請求項５または６記載の衛生洗浄装置。
【請求項８】
前記加圧手段は、
往復運動を行う加圧部材と、
パルス電圧に基づいて前記加圧部材を往復運動させる電磁コイルとを含み、
前記制御手段は、前記電磁コイルに印加するパルス電圧の電圧値、周波数またはデューティ比を制御することにより圧力変動の態様を制御することを特徴とする請求項１〜７のいずれかに記載の衛生洗浄装置。
【発明の詳細な説明】
【０００１】
【発明の属する技術分野】
本発明は、人体の局部を洗浄する衛生洗浄装置に関する。
【０００２】
【従来の技術】
衛生洗浄装置の分野には、ノズルから噴出される洗浄水の水勢を調整する機能が設けられている。このような、衛生洗浄装置によれば、使用者は自己の好みに応じてノズルから噴出される洗浄水の水勢を調整することができる。そして、使用者による洗浄水の水勢調整は、専ら以下に示すようなリモートコントローラにより制御される。
【０００３】
図２０は、従来の衛生洗浄装置におけるリモートコントローラの一例を示す模式図である。
【０００４】
図２０によれば、リモートコントローラ３００Ｘは、水勢調整スイッチ３０２Ｘ，３０２Ｙ、おしりスイッチ３０３、停止スイッチ３０５、ビデスイッチ３０６、乾燥スイッチ３０７および水勢表示パネル３９０Ｘを備える。
【０００５】
おしりスイッチ３０３は、使用者がおしりを洗浄する場合に押下され、ビデスイッチ３０６は、使用者がビデ洗浄を行う場合に押下される。停止スイッチ３０５は、使用者が洗浄を終了する場合に押下され、乾燥スイッチ３０７は、使用者が局部を乾燥させる場合に押下される。
【０００６】
水勢調整スイッチ３０２Ｘ，３０２Ｙは、使用者が局部に噴出される洗浄水の水勢を調整する場合に押下される。例えば、使用者が強い水勢で局部を洗浄したい場合、使用者は水勢調整スイッチ３０２Ｘを押下する。これにより、使用者は強い水勢で局部を洗浄することができる。また、使用者が弱い水勢で局部を洗浄したい場合、使用者は水勢調整スイッチ３０２Ｙを押下する。これにより、使用者は弱い水勢で局部を洗浄することができる。
【０００７】
水勢表示パネル３９０Ｘは、使用者による水勢調整スイッチ３０２Ｘ，３０２Ｙの押下操作に応じて、現在の水勢の状態を棒グラフ状に多段階に表示する。使用者は、水勢表示パネル３９０Ｘの表示を視認することにより、「水勢が最大である」、「水勢が最小である」または「水勢が標準的である」等、現在の水勢の状態を容易に把握することができる。
【０００８】
【発明が解決しようとする課題】
ところで、近年、衛生洗浄装置の分野においては、ノズルから噴出される洗浄水に周期的な圧力変動を与えることが提案されている。このように、洗浄水に周期的な圧力変動を与えることにより洗浄感の変化が多様化し、使用者は自己の嗜好に応じた種々の洗浄感を得ることが可能となる。この場合、使用者が水勢調整スイッチ３０２Ｘ，３０２Ｙを押下操作すると、洗浄水の圧力変動の状態が変化する。
【０００９】
しかしながら、使用者は、上記に示す水勢調整パネル３９０Ｘにより水勢の強弱を把握できるが、洗浄水の圧力変動の状態を把握することはできない。つまり、使用者は、現在の洗浄感がどのような洗浄水の圧力変動に基づいて得られているかを認知することができない。
【００１０】
本発明の目的は、使用者が洗浄水の圧力変動の状態を容易に認知することができる衛生洗浄装置を提供することである。
【００１１】
【課題を解決するための手段】
本発明に係る衛生洗浄装置は、供給源から供給される洗浄水を人体に噴出する衛生洗浄装置であって、洗浄水を噴出する噴出手段と、供給源から供給される洗浄水に周期的な圧力変動を与えつつ洗浄水を加圧して噴出手段から噴出させる加圧手段と、加圧手段による圧力変動の態様を設定するための設定手段と、設定手段の設定に基づいて加圧手段による圧力変動の態様を制御する制御手段と、噴出手段より噴出する洗浄水の圧力変動の態様を使用者に認知させる認知手段とを備えたものである。
【００１２】
本発明に係る衛生洗浄装置において、供給源から供給される洗浄水は、加圧手段により周期的な圧力変動を与えられ、加圧されることにより噴出手段より噴出する。噴出手段より噴出する洗浄水の圧力変動の態様は、設定手段により設定される。制御手段は、設定手段による設定に基づいて加圧手段の動作を制御し、洗浄水の圧力変動の態様を変化させる。認知手段は、噴出手段より噴出する洗浄水の圧力変動の態様を使用者に認知させる。
【００１３】
この場合、使用者は、認知手段により現在噴出されている洗浄水の圧力変動の態様を知ることができるので、現在の洗浄感がどのような圧力変動に基づいて得られているかを知ることができる。これにより、使用者は、自己の嗜好に応じた種々の洗浄感がどのような圧力変動により得られるかを容易に知ることができる。
【００１４】
また、使用者は、加圧手段により周期的な圧力変動が与えられた洗浄水で局部の洗浄を行うことができ、さらに、洗浄水の圧力変動の態様を容易に調整できるので、少ない流量で自己の嗜好に応じた洗浄感を得ることができる。
【００１５】
認知手段は、噴出手段より噴出する洗浄水の圧力変動の態様を使用者に視覚を通じて認知させる第１の表示手段を含んでもよい。
【００１６】
これにより、使用者は現在自己に噴出されている洗浄水の圧力変動の態様を第１の表示手段を視認することにより容易に知ることができる。そして、使用者は、第１の表示手段に表示される洗浄水の圧力変動の態様に基づいて、自己の所望の洗浄感を設定手段により容易に得ることができる。
【００１７】
第１の表示手段は、噴出手段より噴出する洗浄水の圧力変動の態様を波形により表示してもよい。
【００１８】
これにより、使用者は、噴出手段より噴出する洗浄水の圧力変動の態様を容易に知ることができる。そして、使用者は、第１の表示手段に表示される洗浄水の圧力変動の態様に基づいて、自己の所望の洗浄感を設定手段により容易に得ることができる。
【００１９】
認知手段は、噴出手段より噴出する洗浄水の圧力変動の態様を使用者に聴覚を通じて認知させる音声出力手段を含んでもよい。
【００２０】
これにより、使用者は現在自己に噴出されている洗浄水の圧力変動の態様を音声出力手段からの音声出力を聞くことにより容易に知ることができる。そして、使用者は、音声出力手段により音声出力される洗浄水の圧力変動の態様に基づいて、自己の所望の洗浄感を設定手段により容易に得ることができる。また、視覚的な障害を有する使用者においても、音声出力手段からの音声出力を聞くことにより洗浄水の圧力変動の態様を容易に知ることができる。
【００２１】
噴出手段より噴出する洗浄水の流量を調整する流量調整手段をさらに備え、制御手段は、設定手段の設定に基づいて流量調節手段により噴出手段より噴出する洗浄水の流量を調整してもよい。
【００２２】
この場合、噴出手段より噴出する洗浄水の流量が、設定手段の設定に基づいて制御手段が流量調整手段を制御することにより調整される。これにより、使用者は、設定手段により洗浄水の流量を調整することができるので、噴出される洗浄水の洗浄感が多様化し、自己の嗜好に応じた洗浄感を得ることができる。
【００２３】
認知手段は、噴出手段より噴出する洗浄水の流量を使用者に視覚を通じて認知させる第２の表示手段を含んでもよい。
【００２４】
これにより、使用者は現在自己に噴出されている洗浄水の流量を第２の表示手段を視認することにより容易に知ることができる。そして、使用者は、第２の表示手段に表示される洗浄水の流量に基づいて、自己の所望の洗浄感を設定手段により容易に得ることができる。
【００２５】
認知手段は、噴出手段より噴出する洗浄水の流量を使用者に聴覚を通じて認知させる音声出力手段を含んでもよい。
【００２６】
これにより、使用者は現在自己に噴出されている洗浄水の流量を音声出力手段からの音声出力を聞くことにより容易に知ることができる。そして、使用者は、音声出力手段により音声出力される洗浄水の流量に基づいて、自己の所望の洗浄感を設定手段により容易に得ることができる。また、視覚的な障害を有する使用者においても、音声出力手段からの音声出力を聞くことにより洗浄水の流量を容易に知ることができる。
【００２７】
加圧手段は、往復運動を行う加圧部材と、パルス電圧に基づいて加圧部材を往復運動させる電磁コイルとを含み、制御手段は、電磁コイルに印加するパルス電圧の電圧値、周波数またはデューティ比を制御することにより圧力変動の態様を制御してもよい。
【００２８】
加圧手段において、電磁コイルは制御手段により印加されるパルス電圧に基づいて加圧部材を往復運動させる。電磁コイルに印加されるパルス電圧の電圧値、周波数またはデューティ比が、制御手段により制御される。制御手段による電磁コイルに印加されるパルス電圧の制御により、加圧手段の圧力変動の態様が制御される。
【００２９】
この場合、加圧手段の電磁コイルに印加するパルス電圧の電圧値、周波数またはデューティ比を制御することにより、噴出手段より噴出する洗浄水の圧力変動の態様を確実に変化させることができる。これにより、使用者は自己の嗜好に応じた多様な洗浄感を得ることができる。
【００３０】
【発明の実施の形態】
以下、本発明の実施の形態に係る衛生洗浄装置について説明する。
【００３１】
（第１の実施の形態）
図１は、第１の実施の形態に係る衛生洗浄装置を便器に装着した状態を示す斜視図である。
【００３２】
図１に示すように、便器６００上に衛生洗浄装置１００が装着される。タンク７００は、水道配管に接続されており、便器６００内に洗浄水を供給する。
【００３３】
衛生洗浄装置１００は、本体部２００、リモートコントローラ３００、便座部４００および蓋部５００により構成される。
【００３４】
本体部２００には、便座部４００および蓋部５００が開閉自在に取り付けられる。さらに、本体部２００には、ノズル部３０を含む洗浄水供給機構が設けられるとともに、制御部が内蔵されている。本体部２００の制御部は、ケーブルを介してリモートコントローラ３００と接続されており、後述するようにリモートコントローラ３００より送信される信号に基いて、洗浄水供給機構を制御する。さらに、本体部２００の制御部は、便座部４００に内蔵されたヒータ、本体部２００に設けられた脱臭装置（図示せず）および温風供給装置（図示せず）等の制御も行う。なお、上記に示すリモートコントローラ３００と制御部との間の通信は、ケーブルに代えて無線で行ってもよい。
【００３５】
図２は図１のリモートコントローラ３００の一例を示す模式図である。
図２に示すように、リモートコントローラ３００は、スピーカ３０１、水勢調整スイッチ３０２ａ，３０２ｂ、おしりスイッチ３０３、停止スイッチ３０５、ビデスイッチ３０６、乾燥スイッチ３０７、水勢表示パネル３９０および噴出状態表示パネル３９１を備える。
【００３６】
使用者により調整スイッチ３０２ａ，３０２ｂ、おしりスイッチ３０３、停止スイッチ３０５、ビデスイッチ３０６および乾燥スイッチ３０７が押下操作される。それにより、リモートコントローラ３００は、本体部２００に設けられた制御部に所定の信号をケーブルを介して送信する。本体部２００の制御部は、リモートコントローラ３００より送信される所定の信号を受信し、洗浄水供給機構等を制御する。
【００３７】
例えば、使用者が、おしりスイッチ３０３またはビデスイッチ３０６を押下操作することにより図１の本体部２００のノズル部３０が移動して洗浄水が噴出する。停止スイッチ３０５を押下操作することによりノズル部３０からの洗浄水の噴出が停止する。
【００３８】
また、乾燥スイッチ３０７を押下操作することにより人体の局部に対して衛生洗浄装置１００の温風供給装置（図示せず）より温風が噴出される。
【００３９】
ここで、水勢調整スイッチ３０２ａ，３０２ｂは、使用者が局部に噴出される洗浄水の水勢を調整する場合に押下される。例えば、使用者が強い水勢で局部を洗浄したい場合、使用者は水勢調整スイッチ３０２ａを押下する。これにより、使用者は強い水勢で局部を洗浄することができる。また、使用者が弱い水勢で局部を洗浄したい場合、使用者は水勢調整スイッチ３０２ｂ押下する。これにより、使用者は弱い水勢で局部を洗浄することができる。
【００４０】
後述するように、本実施の形態では、ノズル部３０から噴出される洗浄水に周期的な圧力変動が与えられる。この場合、使用者が水勢調整スイッチ３０２ａ，３０２ｂを押下操作することにより、ノズル部３０より噴出される洗浄水の流量および圧力が変化するとともにノズル部３０より噴出される洗浄水の圧力変動の状態が変化する。
【００４１】
本実施の形態では、使用者が水勢調整スイッチ３０２ａ，３０２ｂを押下操作することにより、洗浄水の周期的な圧力変動における変動中心の圧力、変動幅および変動周期（変動周波数）が変化する。
【００４２】
水勢表示パネル３９０は、上記に示す水勢調整スイッチ３０２ａ，３０２ｂの押下操作に応じて、現在の洗浄水の水勢の状態を棒グラフ状に多段階に表示している。ここで、洗浄水の水勢は、ノズル部３０より噴出される洗浄水の平均流量（洗浄水の周期的な圧力変動における変動中心の圧力）を示している。使用者は、水勢表示パネル３９０の表示を視認することにより、「水勢が最大である」、「水勢が最小である」または「水勢が標準的である」等、洗浄水の水勢を容易に把握することができる。
【００４３】
噴出状態表示パネル３９１は、上記に示す水勢調整スイッチ３０２ａ，３０２ｂの押下操作に応じて、現在の洗浄水の噴出状態（圧力変動の状態）を波形により表示している。使用者は、噴出状態表示パネル３９１の表示を視認することにより、「洗浄水の圧力変動幅が大きい」または「洗浄水の圧力変動周期が小さい」等、洗浄水の圧力変動の状態を容易に把握することができる。なお、噴出状態表示パネル３９１の表示形態の詳細については後述する。
【００４４】
スピーカ３０１は、上記に示す水勢調整スイッチ３０２ａ，３０２ｂの押下操作に応じて、現在の洗浄水の圧力変動の状態を音声出力する。例えば、使用者が水勢を最も強くなるように調整する場合、スピーカ３０１は「圧力変動幅最大、圧力変動周期最小です。」というような音声出力を行う。このような音声出力は、使用者による水勢調整のたびに行われる。
【００４５】
以下、第１の実施の形態に係る衛生洗浄装置１００の本体部２００について説明を行う。図３は、第１の実施の形態に係る衛生洗浄装置１００の本体部２００の構成を示す模式図である。
【００４６】
図３に示す本体部２００は、制御部４、分岐水栓５、ストレーナ６、逆止弁７、定流量弁８、止水電磁弁９、流量センサ１０、熱交換器１１、温度センサ１２ａ，１２ｂ、ポンプ１３Ｄ、切替弁１４およびノズル部３０を含む。また、ノズル部３０は、おしりノズル１、ビデノズル２およびノズル洗浄用ノズル３を含む。
【００４７】
図３に示すように、水道配管２０１に分岐水栓５が介挿される。また、分岐水栓５と熱交換器１１との間に接続される配管２０２に、ストレーナ６、逆止弁７、定流量弁８、止水電磁弁９、流量センサ１０および温度センサ１２ａが順に介挿されている。さらに、熱交換器１１と切替弁１４との間に接続される配管２０３に、温度センサ１２ｂおよびポンプ１３Ｄが介挿されている。
【００４８】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００４９】
また、ポンプ１３Ｄと切替弁１４との間にはリリーフ管２０４が接続され、止水電磁弁９と流量センサ１０との間には、逃がし水配管２０５が接続されている。リリーフ配管２０４には、リリーフ弁２０６が介挿されている。リリーフ弁２０６は、配管２０３の特にポンプ１３Ｄの下流側の圧力が所定値を超えると開成し、異常時の機器の破損、ホースの外れ等の不具合を防止する。一方、定流量弁８によって流量が調節され供給される洗浄水のうちポンプ１３Ｄで吸引されない洗浄水を逃がし水配管２０５から放出する。これにより、水道供給圧に左右されることなくポンプ１３Ｄには所定の背圧が作用することになる。
【００５０】
次いで、流量センサ１０は、配管２０２内を流れる洗浄水の流量を測定し、制御部４に測定流量値を与える。また、温度センサ１２ａは、配管２０２内を流れる洗浄水の温度を測定し、制御部４に温度測定値を与える。
【００５１】
続いて、熱交換器１１は、制御部４により与えられる制御信号に基いて、配管２０２を通して供給された洗浄水を所定の温度に加熱する。温度センサ１２ｂは、熱交換器１１により所定の温度に加熱された洗浄水の温度を測定し、制御部４に温度測定値を与える。
【００５２】
ポンプ１３Ｄは、熱交換器１１により加熱された洗浄水を制御部４により与えられる制御信号に基いて、切替弁１４に圧送する。切替弁１４は、制御部４により与えられる制御信号に基いて、ノズル部３０のおしりノズル１、ビデノズル２およびノズル洗浄用ノズル３のいずれか１つに洗浄水を供給する。それにより、おしりノズル１、ビデノズル２およびノズル洗浄用ノズル３のいずれか１つより洗浄水が噴出される。また、切替弁１４は、制御部４により与えられる制御信号に基いて、ノズル部３０より噴出される洗浄水の流量を調整する。それにより、ノズル部３０より噴出される洗浄水の流量が変化する。
【００５３】
制御部４は、図１のリモートコントローラ３００から送信される信号、流量センサ１０から与えられる測定流量値および温度センサ１２ａ，１２ｂから与えられる温度測定値に基き止水電磁弁９、熱交換器１１、ポンプ１３Ｄおよび切替弁１４に対して制御信号を与える。
【００５４】
図４は、熱交換器１１の構造の一例を示す一部切り欠き断面図である。
図４に示すように、樹脂ケース５０４内に曲折された蛇行配管５１０が埋設されている。蛇行配管５１０に接触するように平板状のセラミックヒータ５０５が設けられている。矢印Ｙで示すように、洗浄水が、給水口５１１から蛇行配管５１０内に供給され、蛇行配管５１０中を流れる間に、セラミックヒータ５０５により効率よく加熱され、排出口５１２から排出される。
【００５５】
図３の制御部４は、温度センサ１２ｂより与えられる温度測定値に基いて、熱交換器１１のセラミックヒータ５０５の温度をフィードバック制御する。
【００５６】
本実施の形態においては、制御部４がフィードバック制御により熱交換器１１のセラミックヒータ５０５の温度を制御することとしたが、これに限定されず、フィードフォワード制御によりセラミックヒータ５０５の温度を制御してもよく、あるいは、温度上昇時には、フィードフォワード制御によりセラミックヒータ５０５を制御し、定常時には、フィードバック制御によりセラミックヒータ５０５を制御する複合的な制御を行ってもよい。
【００５７】
図５は、第１の実施の形態の衛生洗浄装置に用いられるポンプ１３Ｄの構造の一例を示す断面図である。図５のポンプ１３Ｄは電磁ポンプである。
【００５８】
図５のポンプ１３Ｄにおいては、シリンダ１３８Ｄの外周面の上半部に電磁コイル１３２Ｄが巻回されている。
【００５９】
シリンダ１３８Ｄ内には、スプリングＳＰ１，ＳＰ３および円柱状のプランジャ１３６Ｐが設けられている。シリンダ１３８Ｄ内は、プランジャ１３６Ｐによりポンプ室１３９ｃとポンプ室１３９ｅとに分割される。
【００６０】
ここで、円柱状のプランジャ１３６Ｐ内に円柱状のポンプ室１３９ｄが形成されている。ポンプ室１３９ｄは内部流路Ｔ１を介してポンプ室１３９ｃに連通し、かつ内部流路Ｔ２を介してポンプ室１３９ｅに連通している。ポンプ室１３９ｄ内には、球体ＢおよびスプリングＳＰ２が設けられている。
【００６１】
シリンダ１３８Ｄの下端部には洗浄水入口ＰＡが設けられ、上端部には洗浄水出口ＰＢが設けられている。洗浄水入口ＰＡには図３の配管２０３を介して熱交換器１１が接続され、洗浄水出口ＰＢには配管２０３を介して切替弁１４が接続される。
【００６２】
シリンダ１３８Ｄ内において、スプリングＳＰ１はプランジャ１３６Ｐを上方へ付勢し、スプリングＳＰ３はプランジャ１３６Ｐを下方へ付勢する。
【００６３】
プランジャ１３６Ｐのポンプ室１３９ｄ内において、スプリングＳＰ２は、球体Ｂを下方へ付勢する。それにより、球体Ｂは、ポンプ室１３９ｄと内部流路Ｔ１との境界に位置する弁座ＢＺに押し付けられている。
【００６４】
以上に示す構成を有するポンプ１３Ｄは、電磁コイル１３２Ｄに電圧を印加することにより動作する。以下に、図６に基づきポンプ１３Ｄの動作を説明する。図６は、ポンプ１３Ｄの動作を示す模式的断面図である。
【００６５】
図６（ａ）は、非稼動時におけるポンプ１３Ｄの内部状態を示す。この場合、シリンダ１３８Ｄ内において、プランジャ１３６Ｐは、スプリングＳＰ１およびスプリングＳＰ３によりシリンダ１３８Ｄ内の中央に保持されている。プランジャ１３６Ｐのポンプ室１３９ｄ内において、スプリングＳＰ２は、球体Ｂを弁座ＢＺに押し付け、内部流路Ｔ１を介するポンプ室１３９ｄとポンプ室１３９ｃとの連通を阻止する。
【００６６】
図６（ｂ）は、稼動時の電磁コイル１３２Ｄに電圧が印加されたときのポンプ１３Ｄの内部状態を示す。この場合、シリンダ１３８Ｄ内において、プランジャ１３６Ｐは、スプリングＳＰ３の弾性力に抗してシリンダ１３８Ｄ内を洗浄水出口ＰＢ側へ移動する。それにより、スプリングＳＰ３が圧縮され、スプリングＳＰ１が伸張される。なお、このとき、プランジャ１３６Ｐのポンプ室１３９ｄ内において、スプリングＳＰ２はポンプ１３Ｄの非稼動時と同様に球体Ｂを弁座ＢＺに押し付け、内部流路Ｔ２を介するポンプ室１３９ｄとポンプ室１３９ｃとの連通を阻止する。
【００６７】
上記動作に伴いポンプ室１３９ｃ内の圧力が低くなり、洗浄水が洗浄水入口ＰＡより流入する。一方、上記動作に伴いポンプ室１３９ｅ内の圧力が高くなり、ポンプ室１３９ｅ内の洗浄水が洗浄水出口ＰＢより流出する。このように、球体Ｂは逆止弁として作用する。
【００６８】
図６（ｃ）は、稼動時の電磁コイル１３２Ｄに電圧が印加されないときのポンプ１３Ｄの内部状態を示す。この場合、シリンダ１３８Ｄ内において、プランジャ１３６Ｐは、伸張されたスプリングＳＰ１および圧縮されたスプリングＳＰ３の復元力によりシリンダ１３８Ｄ内を洗浄水入口ＰＡ側へ移動する。それにより、スプリングＳＰ３が伸張され、スプリングＳＰ１が圧縮される。
【００６９】
上記動作に伴いポンプ室１３９ｃ内の圧力が高くなり、ポンプ室１３９ｃ内の洗浄水が、プランジャ１３６Ｐの内部流路Ｔ１を通じてポンプ室１３９ｄ内の球体Ｂを弁座ＢＺから押し出し、ポンプ室１３９ｄ内に流入する。さらに、ポンプ室１３９ｃより流入する洗浄水により、ポンプ室１３９ｄ内の圧力が高くなり、ポンプ室１３９ｄ内の洗浄水が、プランジャ１３６Ｐの内部流路Ｔ２を通じてポンプ室１３９ｅ内へ流入し、洗浄水出口ＰＢから吐出される。
【００７０】
なお、電磁ポンプ１３Ｄにおいては、プランジャ１３６Ｐとシリンダ１３８Ｄとの間にシール部材が介在しないため、洗浄水出口ＰＢの下流側の圧力損失により吐出流量が異なる。
【００７１】
図７は、図５のポンプ１３Ｄの稼動時におけるポンプ室１３９ｅ内の圧力変化および電磁コイル１３２Ｄに印加される電圧の変化を示す図である。図７（ａ）はポンプ１３Ｄの圧力変化を示し、図７（ｂ）は電磁コイル１３２Ｄに印加される電圧の変化を示す。
【００７２】
図７に示すように、ポンプ１３Ｄの洗浄水入口ＰΑには、圧力Ｐｎの洗浄水が供給される。そして、電磁コイル１３２Ｄに電圧Ｖｍが断続的に印加されることによりプランジャ１３６Ｐがシリンダ１３８Ｄ内で往復運動し、ポンプ１３Ｄの洗浄水出口ＰＢから吐出される洗浄水の圧力Ｐｐは太い実線で示すように、点線で示す圧力Ｐｍを中心として上下に周期的に変化する。
【００７３】
以上に示すように、ポンプ１３Ｄにおいては、電磁コイル１３２Ｄに周期的なパルス電圧が印加されることにより、ポンプ室１３９ｅ内の洗浄水に対して圧力が加えられ、洗浄水入口ＰΑの洗浄水が昇圧されて洗浄水出口ＰＢから吐出される。
【００７４】
図８（ａ）は切替弁１４の縦断面図であり、図８（ｂ）は図８（ａ）の切替弁１４のＡ−Ａ線断面図であり、図８（ｃ）は図８（ａ）の切替弁１４のＢ−Ｂ線断面図である。
【００７５】
図８に示す切替弁１４は、モータ１４１、内筒１４２および外筒１４３により構成される。
【００７６】
外筒１４３内に内筒１４２が挿入され、モータ１４１の回転軸が内筒１４２に取り付けられている。モータ１４１は、制御部４により与えられる制御信号に基いて回転動作を行う。モータ１４１が回転することにより内筒１４２が回転する。
【００７７】
図８（ａ），（ｂ），（ｃ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられている。内筒１４２の互いに異なる位置に孔１４２ｅ，１４２ｆが設けられている。孔１４２ｅの周辺には、図８（ｂ）に示すように、面取り部が形成されている。内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっている。
【００７８】
洗浄水入口１４３ａには、図３の配管２０３が接続され、洗浄水出口１４３ｂには、おしりノズル１が接続され、洗浄水出口１４３ｃには、ビデノズル２が接続され、洗浄水出口１４３ｄには、ノズル洗浄用ノズル３が接続されている。
【００７９】
図９は、図８の切替弁１４の動作を示す断面図である。
図９（ａ）に示すように、モータ１４１が回転せず、内筒１４２の孔１４２ｅが外筒１４３の洗浄水出口１４３ｄと同じ側にある場合、内筒１４２の孔１４２ｅが外筒１４３の洗浄水出口１４３ｂ，１４３ｃのいずれにも対向せず、かつ内筒１４２の孔１４２ｆが外筒１４３の洗浄水出口１４３ｄに対向しない。したがって、洗浄水が洗浄水出口１４３ｂ，１４３ｃ，１４３ｄのいずれからも流出しない。
【００８０】
次に、図９（ｂ）に示すように、モータ１４１が内筒１４２を４５度回転させた場合には、内筒１４２の孔１４２ｅの周囲の面取り部の一部が外筒１４３の洗浄水出口１４３ｂに対向する。したがって、少量の洗浄水が洗浄水入口１４３ａより内筒１４２の内部を通過して、矢印Ｗ１で示すように洗浄水出口１４３ｂから流出する。
【００８１】
また、図９（ｃ）に示すように、モータ１４１が内筒１４２を９０度回転させた場合には、内筒１４２の孔１４２ｅが外筒１４３の洗浄水出口１４３ｂに対向する。したがって、多量の洗浄水が洗浄水入口１４３ａより内筒１４２の内部を通過して、矢印Ｗ２で示すように洗浄水出口１４３ｂから流出する。
【００８２】
さらに、モータ１４１が内筒１４２を２７０度回転させた場合には、内筒１４２の孔１４２ｅが外筒１４３の洗浄水出口１４３ｃに対向する。したがって、多量の洗浄水が洗浄水入口１４３ａより内筒１４２の内部を通過して洗浄水出口１４３ｃから流出する。
【００８３】
また、モータ１４１が内筒１４２を１８０度回転させた場合には、内筒１４２の孔１４２ｆが外筒１４３の洗浄水出口１４３ｄに対向する。したがって、多量の洗浄水が洗浄水入口１４３ａより内筒１４２の内部を通過して洗浄水出口１４３ｄから流出する。
【００８４】
以上のように、制御部４からの制御信号に基いてモータ１４１が回転することにより内筒１４２の孔１４２ｅ，１４２ｆのいずれかが外筒１４３の洗浄水出口１４３ｂ〜１４３ｄのいずれかに対向した場合には洗浄水が流出し、内筒１４２の孔１４２ｅ，１４２ｆのいずれもが外筒１４３の洗浄水出口１４３ｂ〜１４３ｄのいずれにも対向しない場合には洗浄水が流出しない。
【００８５】
次に、図３のノズル部３０のおしりノズル１について説明する。図１０は、図３のノズル部３０のおしりノズル１の断面図である。なお、図３のノズル部３０のビデノズル２の構成および動作は図１０のおしりノズル１と同様である。
【００８６】
図１０に示すように、おしりノズル１は、円筒状のピストン部２０、円筒状のシリンダ部２１、シールパッキン２２およびスプリング２３により構成される。
【００８７】
ピストン部２０の先端近傍には、洗浄水を噴出するための噴出孔２５が形成されている。ピストン部２０の後端には、フランジ形状のストッパ部２６が設けられている。また、ストッパ部２６には、シールパッキン２２が装着されている。ピストン部２０の内部には、後端面から噴出孔２５に連通する流路２７が形成されている。
【００８８】
一方、シリンダ部２１は、先端側の径小部分と後端側の径大部分とからなる。それにより、径小部分と径大部分との間に、ストッパ部２６がシールパッキン２２を介して当接可能なストッパ面２１ｂが形成されている。シリンダ部２１の後端面には、洗浄水入口２４が設けられ、シリンダ部２１の先端面には、開口部２１ａが設けられている。シリンダ部２１の内部空間が温度変動緩衝部２８となる。洗浄水入口２４は、シリンダ部２１の中心軸とは異なる位置に偏心して設けられている。洗浄水入口２４は、図３の切替弁１４の洗浄水出口１４３ｂに接続されている。
【００８９】
ピストン部２０は、ストッパ部２６が温度変動緩衝部２８内に位置し、先端部が開口部２１ａから突出するように、シリンダ部２１内に移動可能に挿入されている。
【００９０】
さらに、スプリング２３は、ピストン部２０のストッパ部２６とシリンダ部２１の開口部２１ａの周縁との間に配設されており、ピストン部２０をシリンダ部２１の後端側に付勢する。
【００９１】
ピストン部２０のストッパ部２６の外周面とシリンダ部２１の内周面との間に微小隙間が形成され、ピストン部２０の外周面とシリンダ部２１の開口部２１ａの内周面との間に微小隙間が形成されている。
【００９２】
次いで、図１０のおしりノズル１の動作について説明する。図１１は、図１０のおしりノズル１の動作を説明するための断面図である。
【００９３】
まず、図１１（ａ）に示すように、シリンダ部２１の洗浄水入口２４より洗浄水が供給されない場合、ピストン部２０が、スプリング２３の弾性力により矢印Ｘの方向と逆方向に後退し、シリンダ部２１内に収容されている。その結果、ピストン部２０は、シリンダ部２１の開口部２１ａより最も突出していない状態となる。このとき、シリンダ部２１内には、温度変動緩衝部２８が形成されない。
【００９４】
次いで、図１１（ｂ）に示すように、シリンダ部２１の洗浄水入口２４より洗浄水の供給が開始された場合、洗浄水の圧力によりピストン部２０がスプリング２３の弾性力に抗して矢印Ｘの方向に徐々に前進する。それにより、シリンダ部２１内に温度変動緩衝部２８が形成されるとともに温度変動緩衝部２８に洗浄水が流入する。
【００９５】
洗浄水入口２４がシリンダ部２１の中心軸に対して偏心した位置に設けられているので、温度変動緩衝部２８に流入した洗浄水は、矢印Ｖで示すように渦巻状に還流する。温度変動緩衝部２８の洗浄水の一部は、ピストン部２０のストッパ部２６の外周面とシリンダ部２１の内周面との間の微小隙間を通して、ピストン部２０の外周面とシリンダ部２１の開口部２１ａの内周面との間の微小隙間から流れ出るとともに、ピストン部２０の流路２７を通して噴出孔２５から噴出される。
【００９６】
ピストン部２０がさらに前進すると、図１１（ｃ）に示すように、ストッパ部２６がシールパッキン２２を介してシリンダ部２１のストッパ面２１ｂに水密に接触する。それにより、ピストン部２０のストッパ部２６の外周面とシリンダ部２１の内周面との間の微小隙間からピストン部２０の外周面とシリンダ部２１の開口部２１ａの内周面との間の微小隙間に至る流路が遮断される。したがって、温度変動緩衝部２８の洗浄水が、ピストン部２０内の流路２７を通して噴出孔２５のみから噴出される。
【００９７】
図１２は、第１の実施の形態におけるおしりノズル１の噴出孔２５より噴出される洗浄水の説明図である。
【００９８】
図１２に示すように、おしりノズル１の噴出孔２５からは、表面張力により直径ｄｎの幅を有した丸い粒状の洗浄水が噴出される。また、直径ｄｎを有する洗浄水は、ポンプ１３の圧力により流速ｖで被洗浄面ＳＨに向けて噴出される。
【００９９】
この場合、丸い粒状の洗浄水は、おしりノズル１の噴出孔２５より距離Ｌｗにある被洗浄面ＳＨに到達するまでに、空気抵抗の働きにより水平方向に広がる。それにより、直径ｄｎの幅を有した丸い粒状の洗浄水は、直径ｄｎよりも大きい直径ｄｗの幅を有した偏平な粒状の洗浄水に変化する。その結果、人体は、噴出孔２５において少量の洗浄水が噴出されているのにもかかわらず、被洗浄面ＳＨにおいて直径ｄｗの幅の洗浄水を受けるため、多量の洗浄水が噴出されているような洗浄感を得ることができる。
【０１００】
ここで、使用者が図２に示すリモートコントローラ３００を用いてノズル部３０より噴出する洗浄水の水勢を調整する場合のポンプ１３Ｄの吐出圧力の変化、ポンプ１３Ｄの電磁コイル１３２Ｄに印加される電圧の変化および図２に示す噴出状態表示パネル３９１の表示状態の変化について、図１３および図１４に基づき説明する。
【０１０１】
図１３は、第１の実施の形態に係る衛生洗浄装置１００の水勢調整に伴う図５のポンプ１３Ｄの吐出圧力の変化および電磁コイル１３２Ｄに印加される電圧の変化を示す図である。図１４は、第１の実施の形態に係る衛生洗浄装置１００の水勢調整に伴う図２の噴出状態表示パネル３９１の表示状態を示す図である。
【０１０２】
使用者が図２の水勢調整スイッチ３０２ａを押下してノズル部３０より噴出される洗浄水の水勢を強く設定した場合、ポンプ１３Ｄの吐出圧力の変化および電磁コイル１３２Ｄに印加される電圧の変化は図１３（ａ）に示すようになる。
【０１０３】
図３の制御部４は、使用者による水勢調整スイッチ３０２ａの押下操作に応じて、電磁コイル１３２Ｄに印加する電圧Ｖｏの周期Ｔｓを短くする。これにより、ポンプ１３Ｄのプランジャ１３６Ｐの上下方向の運動周期が短くなる。この結果、ポンプ１３Ｄの吐出圧力の変動周期が短くなり、吐出圧力の変動中心Ｐｏが高くなり、ポンプ１３Ｄの吐出圧力の変動幅が大きくなる。図１３（ａ）においては、使用者が水勢を強く設定した場合のポンプ１３Ｄの吐出圧力の変化が実線Ｐαにより波形として示されている。
【０１０４】
ここで、制御部４は、上記に示すように電磁コイル１３２Ｄに印加する電圧を変化させるとともに、図２の噴出状態表示パネル３９１の表示状態を変化させる。つまり、制御部４は、電磁コイル１３２Ｄに印加する電圧Ｖｏの周期Ｔｓを短くするとともに、周期Ｔｓの変化に応じて変化する洗浄水の噴出圧力の変動状態を噴出状態表示パネル３９１に表示させる。図１４（ａ）においては、使用者が水勢を強く設定した場合の洗浄水の噴出圧力の変化が実線Ｎαにより表されている。
【０１０５】
使用者が図２の水勢調整スイッチ３０２ａ，３０２ｂを押下してノズル部３０より噴出される洗浄水の水勢を中程度に設定した場合、ポンプ１３Ｄの吐出圧力の変化および電磁コイル１３２Ｄに印加される電圧の変化は図１３（ｂ）に示すようになる。
【０１０６】
制御部４は、使用者による水勢調整スイッチ３０２ａ，３０２ｂの押下操作に応じて、電磁コイル１３２Ｄに印加する電圧Ｖｏの周期Ｔｓを中程度にする。これにより、ポンプ１３Ｄのプランジャ１３６Ｐの上下方向の運動周期が中程度となる。この結果、ポンプ１３Ｄの吐出圧力の変動周期が中程度となり、吐出圧力の変動中心Ｐｏが中程度となり、ポンプ１３Ｄの吐出圧力の変動幅が中程度となる。図１３（ｂ）においては、使用者が水勢を中程度に設定した場合のポンプ１３Ｄの吐出圧力の変化が実線Ｐβにより波形として示されている。
【０１０７】
ここで、制御部４は、上記に示すように電磁コイル１３２Ｄに印加する電圧を変化させるとともに、噴出状態表示パネル３９１の表示状態を変化させる。制御部４は、電磁コイル１３２Ｄに印加する電圧Ｖｏの周期Ｔｓを中程度にするとともに、周期Ｔｓに応じて変化するノズル部３０より噴出される洗浄水の噴出圧力の変動状態を噴出状態表示パネル３９１に表示させる。図１４（ｂ）においては、使用者が水勢を中程度に設定した場合の洗浄水の噴出圧力の変化が実線Ｎβにより表されている。
【０１０８】
使用者が図２の水勢調整スイッチ３０２ｂを押下してノズル部３０より噴出される洗浄水の水勢を弱く設定した場合、ポンプ１３Ｄの吐出圧力の変化および電磁コイル１３２Ｄに印加される電圧の変化は図１３（ｃ）に示すようになる。
【０１０９】
図３の制御部４は、使用者による水勢調整スイッチ３０２ｂの押下操作に応じて、電磁コイル１３２Ｄに印加する電圧Ｖｏの周期Ｔｓを長くする。これにより、ポンプ１３Ｄのプランジャ１３６Ｐの上下方向の運動周期が長くなる。この結果、ポンプ１３Ｄの吐出圧力の変動周期が長くなり、吐出圧力の変動中心Ｐｏが低くなり、ポンプ１３Ｄの吐出圧力の変動幅が小さくなる。図１３（ｃ）においては、使用者が水勢を弱く設定した場合のポンプ１３Ｄの吐出圧力の変化が実線Ｐγにより波形として示されている。
【０１１０】
ここで、制御部４は、上記に示すように電磁コイル１３２Ｄに印加する電圧を変化させるとともに、噴出状態表示パネル３９１の表示状態を変化させる。つまり、制御部４は、電磁コイル１３２Ｄに印加する電圧Ｖｏの周期Ｔｓ長くするとともに、周期Ｔｓに応じて変化するノズル部３０より噴出される洗浄水の噴出圧力の変動状態を噴出状態表示パネル３９１に表示させる。図１４（ｃ）においては、使用者が水勢を弱く設定した場合の洗浄水の噴出圧力の変化が実線Ｎγにより表されている。
【０１１１】
ここで、本実施の形態において、制御部４はリモートコントローラ３００が備えるスピーカ３０１に、現在の洗浄水の圧力変動の状態に応じたアナウンスを音声出力させている。例えば、使用者がノズル部３０より噴出される洗浄水の噴出圧を最大に設定した場合、スピーカ３０１は「圧力変動幅最大、圧力変動周期最小です。」というような音声出力を行う。
【０１１２】
上記において、制御部４は、電磁コイル１３２Ｄに印加する電圧の周期Ｔｓと洗浄水の噴出圧力の変動状態との関係を示すデータを予め記憶しており、このデータに基づいて噴出状態表示パネル３９１の表示およびスピーカ３０１の音声出力を行う。
【０１１３】
ここで、以上に示す水勢調整に際して、制御部４はノズル部３０より噴出される洗浄水の圧力変動の状態に基づいて図２の水勢表示パネル３９０に現在の水勢を棒グラフ状に多段階に表示させている。
【０１１４】
本実施の形態に係る衛生洗浄装置１００においては、図２に示すリモートコントローラ３００に代えて図１５に示すリモートコントローラ３１０を用いてもよい。
【０１１５】
図１５は、第１の実施の形態に係る衛生洗浄装置１００に適用可能なリモートコントローラの他の例を示す模式図である。
【０１１６】
図１５によれば、リモートコントローラ３１０には、図２に示すリモートコントローラ３００の水勢調整スイッチ３０２ａ，３０２ｂに代えて、水勢調整ダイヤル３０２ｃが設けられている。水勢調整ダイヤル３０２ｃは、図１５に示すようにリモートコントローラ３１０の表面に矢印Ｒ１の方向および矢印Ｒ２の方向に回転可能に取り付けられている。
【０１１７】
使用者は、ノズル部３０より噴出される洗浄水の水勢を弱く設定したい場合、水勢調整ダイヤル３０２ｃを矢印Ｒ１の方向に回転させる。これにより、ノズル部３０より噴出される洗浄水の水勢が弱く設定される。また、使用者は、ノズル部３０より噴出される洗浄水の水勢を強く設定したい場合、水勢調整スイッチ３０２ｃを矢印Ｒ２の方向に回転させる。これにより、ノズル部３０より噴出される洗浄水の水勢が強く設定される。
【０１１８】
以上に示す第１の実施の形態に係る衛生洗浄装置１００によれば、使用者は、リモートコントローラ３００，３１０に表示される洗浄水の圧力変動の状態を視認することにより、現在の洗浄感がどのような圧力変動に基づいて得られているかを知ることができる。このように、使用者は洗浄水の水勢調整を行う際にノズル部３０より噴出される洗浄水の圧力変動の状態を知ることができるので、自己の嗜好に応じた種々の洗浄感を容易に調整することができる。
【０１１９】
本実施の形態に係る衛生洗浄装置においては、リモートコントローラ３００，３１０にスピーカ３０１が設けられている。これにより、使用者が洗浄水の水勢調整を行う際、現在の洗浄水の圧力変動の状態がスピーカ３０１よりアナウンスされる。したがって、使用者はリモートコントローラ３００，３１０の水勢表示パネル３９０および噴出状態表示パネル３９１を視認することが困難な場合であっても、ノズル部３０より噴出される洗浄水の圧力変動の状態を知ることができるので、自己の嗜好に応じた種々の洗浄感を容易に調整することができる。
【０１２０】
本実施の形態に係る衛生洗浄装置においては、洗浄水をノズル部３０へ供給する加圧手段として電磁ポンプが用いられている。これにより、制御部４は、電磁コイル１３２Ｄに印加する電圧を制御することにより、ノズル部３０より噴出される洗浄水の圧力変動の状態を容易に変更することが可能となる。
【０１２１】
なお、上記に示す衛生洗浄装置においては、電磁コイル１３２Ｄに印加する電圧の周期によりノズル部３０より噴出される洗浄水の圧力変動の状態を変化させているが、電磁コイル１３２Ｄに印加する電圧の電圧値またはデューティ比を調整してノズル部３０より噴出される洗浄水の圧力変動の状態を変化させてもよい。
【０１２２】
（第２の実施の形態）
以下に、第２の実施の形態に係る衛生洗浄装置について説明する。本実施の形態に係る衛生洗浄装置は、第１の実施の形態に係る衛生洗浄装置が備えるリモートコントローラ３００に代えて図１６に示すリモートコントローラ３２０を備える。なお、本実施の形態に係る衛生洗浄装置の各構成部は、以下に示す動作を除き第１の実施の形態に係る衛生洗浄装置の各構成部と同様の動作を行う。
【０１２３】
図１６は、第２の実施の形態に係る衛生洗浄装置が備えるリモートコントローラ３２０の一例を示す模式図である。
【０１２４】
図１６によれば、本実施の形態に係るリモートコントローラ３２０は、第１の実施の形態に係るリモートコントローラ３００が備える水勢調整スイッチ３０２ａ，３０２ｂに代えて、流量調整スイッチ３０２ｄ，３０２ｅおよび周期調整スイッチ３０２ｆ，３０２ｇを備える。
【０１２５】
流量調整スイッチ３０２ｄ，３０２ｅは、使用者が図３のノズル部３０より噴出される洗浄水の流量を切替弁１４により調整する場合に押下操作される。周期調整スイッチ３０２ｆ，３０２ｇは、使用者がノズル部３０より噴出される洗浄水の圧力変動周期をポンプ１３Ｄにより調整する場合に押下操作される。
【０１２６】
以下に、使用者が流量調整スイッチ３０２ｄ，３０２ｅまたは周期調整スイッチ３０２ｆ，３０２ｇを押下操作する場合の図３の制御部４の動作について説明する。
【０１２７】
使用者はノズル部３０より噴出される洗浄水の流量を調整したい場合、図１６の流量調整スイッチ３０２ｄ，３０２ｅを押下操作する。これにより、リモートコントローラ３２０は、制御部４にノズル部３０より噴出される洗浄水の流量を変化させる旨の信号を送信する。そこで、制御部４は、リモートコントローラ３２０より送信された洗浄水の流量を変化させる旨の信号に基づいて図３の切替弁１４の動作を制御する。
【０１２８】
例えば、使用者が流量調整スイッチ３０２ｄを押下した場合、制御部４は切替弁１４を制御し、ノズル部３０へ供給する洗浄水の流量を増加させる。また、使用者が流量調整スイッチ３０２ｅを押下した場合、制御部４は切替弁１４を制御し、ノズル部３０ヘ供給する洗浄水の流量を減少させる。
【０１２９】
そして、制御部４は、使用者による流量調整スイッチ３０２ｄ，３０２ｅの押下操作に伴い切替弁１４の制御を行うとともに、図１６の水勢表示パネル３９０にノズル部３０より噴出される現在の洗浄水の流量を棒グラフ状に多段階に表示させる。
【０１３０】
さらに、本実施の形態において、制御部４はリモートコントローラ３２０が備えるスピーカ３０１に、現在の洗浄水の流量に応じたアナウンスを音声出力させる。例えば、使用者がノズル部３０ヘ供給する洗浄水の流量を最大に設定した場合、スピーカ３０１は「流量最大です。」というような音声出力を行う。
【０１３１】
使用者は、ノズル部３０より噴出される洗浄水の圧力変動周期を調整したい場合、図１６の周期調整スイッチ３０２ｆ，３０２ｇを押下操作する。これにより、リモートコントローラ３２０は、制御部４にノズル部３０より噴出される洗浄水の圧力変動周期を変化させる旨の信号を送信する。そこで、制御部４は、リモートコントローラ３２０より送信された洗浄水の圧力変動周期を変化させる旨の信号に基づいて図３のポンプ１３Ｄの動作を制御する。
【０１３２】
この場合の制御部４によるポンプ１３Ｄの動作の制御は、第１の実施の形態に係る制御部４のポンプ１３Ｄの動作の制御と同様に行われる。
【０１３３】
使用者がノズル部３０より噴出される洗浄水の圧力変動周期を短くする場合、制御部４は使用者による周期調整スイッチ３０２ｆの押下に伴いポンプ１３Ｄの電磁コイル１３２Ｄへ印加する電圧の周期Ｔｓを短くする。この場合、ノズル部３０より噴出される洗浄水の圧力変動周期が短くなり、圧力変動幅は大きくなる。
【０１３４】
また、使用者がノズル部３０より噴出される洗浄水の圧力変動周期を長くする場合、制御部４は使用者による周期調整スイッチ３０２ｇの押下に伴い電磁コイル１３２Ｄへ印加する電圧の周期Ｔｓを長くする。この場合、ノズル部３０より噴出される洗浄水の圧力変動周期が長くなり、圧力変動幅は小さくなる。
【０１３５】
そして、制御部４は、使用者による周期調整スイッチ３０２ｆ，３０２ｇの押下操作に伴いポンプ１３Ｄの動作を制御するとともに図１６の噴出状態表示パネル３９１にノズル部３０より噴出される現在の洗浄水の圧力変動周期を波形により表示させる。例えば、使用者がノズル部３０より噴出される洗浄水の圧力変動周期を短くする場合、噴出状態表示パネル３９１には図１４（ａ）に示すような波形Ｎαが表示され、使用者が圧力変動周期を中程度にする場合、噴出状態表示パネル３９１には図１４（ｂ）に示すような波形Ｎβが表示され、使用者が洗浄水の圧力変動周期を長くする場合、噴出状態表示パネル３９１には図１４（ｃ）に示すような波形Ｎγが表示される。
【０１３６】
さらに、本実施の形態において、制御部４はリモートコントローラ３２０が備えるスピーカ３０１に、現在の洗浄水の圧力変動周期に応じたアナウンスを音声出力させる。例えば、使用者がノズル部３０より噴出される洗浄水の圧力変動周期を最短に設定した場合、スピーカ３０１は「圧力変動周期最短です。」というような音声出力を行う。
【０１３７】
上記において、制御部４は、電磁コイル１３２Ｄに印加する電圧の周期Ｔｓと洗浄水の噴出圧力の変動状態との関係を示すデータを予め記憶しており、このデータに基づいて噴出状態表示パネル３９１の表示およびスピーカ３０１の音声出力を行う。
【０１３８】
以上に示すように、本実施の形態に係る衛生洗浄装置において、使用者は、リモートコントローラ３２０が備える流量調整スイッチ３０２ｄ，３０２ｅの押下操作によりノズル部３０より噴出される洗浄水の流量を調整することができ、リモートコントローラ３２０が備える周期調整スイッチ３０２ｆ，３０２ｇの押下操作によりノズル部３０より噴出される洗浄水の圧力変動周期を調整することができる。
【０１３９】
以上に示す第２の実施の形態に係る衛生洗浄装置によれば、使用者は、流量調整スイッチ３０２ｄ，３０２ｅを押下操作して水勢表示パネル３９０に表示される情報を視認することにより、現在噴出されている洗浄水の流量を知ることができる。さらに、使用者は、周期調整スイッチ３０２ｆ，３０２ｇを押下操作して噴出状態表示パネル３９１に表示される情報を視認することにより、現在噴出されている洗浄水の圧力変動周期を知ることができる。
【０１４０】
したがって、使用者は、現在の洗浄感がどのような洗浄水の流量および圧力変動周期により得られているかを認識することができるので、自己の嗜好に応じた種々の洗浄感を容易に調整することができる。
【０１４１】
本実施の形態に係る衛生洗浄装置においては、第１の実施の形態と同様にリモートコントローラ３２０にスピーカ３０１が設けられている。これにより、使用者が洗浄水の流量および圧力変動周期の調整を行う際、現在の洗浄水の流量および圧力変動周期がスピーカ３０１よりアナウンスされる。したがって、使用者はリモートコントローラ３２０の水勢表示パネル３９０および噴出状態表示パネル３９１を視認することが困難な場合であっても、ノズル部３０より噴出される洗浄水の流量および圧力変動周期を容易に知ることができ、また、調整することができる。
【０１４２】
以上に示すように本実施の形態に係る衛生洗浄装置において、使用者は、ノズル部３０より噴出される洗浄水の流量および圧力変動周期をともに調整することができるので、自己の嗜好に応じた多様な洗浄感を調整することができる。
【０１４３】
本実施の形態に係る衛生洗浄装置においては、洗浄水をノズル部３０へ供給する加圧手段として電磁ポンプが用いられている。これにより、制御部４は、電磁コイル１３２Ｄに印加する電圧を制御することにより容易にノズル部３０より噴出される洗浄水の圧力変動周期を変更することが可能となる。
【０１４４】
なお、上記に示す衛生洗浄装置においては、電磁コイル１３２Ｄに印加する電圧の周期によりノズル部３０より噴出される洗浄水の圧力変動の状態を変化させているが、電磁コイル１３２Ｄに印加する電圧の電圧値またはデューティ比を調整してノズル部３０より噴出される洗浄水の圧力変動の状態を変化させてもよい。
【０１４５】
（第３の実施の形態）
以下に、第３の実施の形態に係る衛生洗浄装置について説明する。本実施の形態に係る衛生洗浄装置は、第２の実施の形態に係る衛生洗浄装置が備えるリモートコントローラ３２０に代えて図１７に示すリモートコントローラ３３０を備える。なお、本実施の形態に係る衛生洗浄装置の各構成部は、以下に示す動作を除き第２の実施の形態に係る衛生洗浄装置の各構成部と同様の動作を行う。
【０１４６】
図１７は、第３の実施の形態に係る衛生洗浄装置が備えるリモートコントローラ３３０の一例を示す模式図である。
【０１４７】
図１７によれば、本実施の形態に係るリモートコントローラ３３０は、第２の実施の形態に係るリモートコントローラ３２０が備える各種調整スイッチに加えて振幅調整スイッチ３０２ｊ，３０２ｋを備える。
【０１４８】
ここで、流量調整スイッチ３０２ｄ，３０２ｅは、第２の実施の形態と同様に使用者が図３のノズル部３０より噴出される洗浄水の流量を切替弁１４により調整する場合に押下操作される。周期調整スイッチ３０２ｆ，３０２ｇは、第２の実施の形態と同様に使用者が図３のノズル部３０より噴出される洗浄水の圧力変動周期をポンプ１３Ｄにより調整する場合に押下操作される。振幅調整スイッチ３０２ｊ，３０２ｋは、使用者がノズル部３０より噴出される洗浄水の圧力変動幅をポンプ１３Ｄにより調整する場合に押下操作される。
【０１４９】
以下に、使用者が流量調整スイッチ３０２ｄ，３０２ｅ、周期調整スイッチ３０２ｆ，３０２ｇまたは振幅調整スイッチ３０２ｊ，３０２ｋを押下操作する場合の図３の制御部４の動作について説明する。
【０１５０】
使用者はノズル部３０より噴出される洗浄水の流量を調整したい場合、図１７の流量調整スイッチ３０２ｄ，３０２ｅを押下操作する。これにより、リモートコントローラ３３０は、制御部４にノズル部３０より噴出される洗浄水の流量を変化させる旨の信号を送信する。この場合の制御部４の動作は、第２の実施の形態と同様であり、リモートコントローラ３３０より送信された洗浄水の流量を変化させる旨の信号に基づいて図３の切替弁１４の動作を制御する。
【０１５１】
この場合の制御部４による切替弁１４の動作の制御は、第２の実施の形態と同様に行われる。さらに、制御部４は、第２の実施の形態と同様に現在の洗浄水の流量に応じたアナウンスをリモートコントローラ３３０が備えるスピーカ３０１に音声出力させ、水勢表示パネル３９０に洗浄水の流量に応じた水勢表示を行う。
【０１５２】
使用者は、ノズル部３０より噴出される洗浄水の圧力変動周期を調整したい場合、図１７の周期調整スイッチ３０２ｆ，３０２ｇを押下操作する。これにより、リモートコントローラ３３０は、制御部４にノズル部３０より噴出される洗浄水の圧力変動周期を変化させる旨の信号を送信する。この場合の制御部４の動作は、第２の実施の形態と同様であり、リモートコントローラ３３０より送信された洗浄水の圧力変動周期を変化させる旨の信号に基づいて図３のポンプ１３Ｄの動作を制御する。
【０１５３】
この場合の制御部４によるポンプ１３Ｄの動作の制御は、第２の実施の形態と同様に行われる。さらに、制御部４は、第２の実施の形態と同様に現在の洗浄水の圧力変動周期に応じたアナウンスをリモートコントローラ３３０が備えるスピーカ３０１に音声出力させ、噴出状態表示パネル３９１に洗浄水の圧力変動周期に応じた噴出状態表示を行う。
【０１５４】
使用者は、ノズル部３０より噴出される洗浄水の噴出圧力の圧力変動幅を調整したい場合、図１７の振幅調整スイッチ３０２ｊ，３０２ｋを押下操作する。これにより、リモートコントローラ３３０は、制御部４にノズル部３０より噴出される洗浄水の圧力変動幅を変化させる旨の信号を送信する。そこで、制御部４は、リモートコントローラ３３０より送信された洗浄水の圧力変動幅を変化させる旨の信号に基づいてポンプ１３Ｄの電磁コイル１３２Ｄに印加する電圧の電圧値を変化させる。これにより、ノズル部３０より噴出する洗浄水の圧力変動幅が変化する。
【０１５５】
そして、制御部４は、使用者による振幅調整スイッチ３０２ｊ，３０２ｋの押下操作に伴いポンプ１３Ｄの動作を制御するとともにリモートコントローラ３３０が備える噴出状態表示パネル３９１にノズル部より噴出される現在の洗浄水の圧力変動幅を波形により表示させる。さらに、本実施の形態において、制御部４はリモートコントローラ３２０が備えるスピーカ３０１に、現在の洗浄水の圧力変動幅に応じたアナウンスを音声出力させる。例えば、使用者がノズル部３０より噴出される洗浄水の圧力変動幅を最大に設定した場合、スピーカ３０１は「圧力変動幅最大です。」というような音声出力を行う。
【０１５６】
上記において、制御部４は、電磁コイル１３２Ｄに印加する電圧の周期Ｔｓおよび電圧値Ｖｚと洗浄水の噴出圧力の変動状態との関係を示すデータを予め記憶しており、このデータに基づいて噴出状態表示パネル３９１の表示およびスピーカ３０１の音声出力を行う。
【０１５７】
ここで、使用者が周期調整スイッチ３０２ｆ，３０２ｇおよび振幅調整スイッチ３０２ｊ，３０２ｋを押下した場合のポンプ１３Ｄの吐出圧力の変化、電磁コイル１３２Ｄに印加される電圧の変化およびリモートコントローラ３３０の噴出状態表示パネル３９１の表示状態の変化について図１８および図１９に基づき説明する。
【０１５８】
図１８は、第３の実施の形態に係る衛生洗浄装置においてノズル部３０より噴出される洗浄水の圧力変動の状態を変化させた場合のポンプ１３Ｄの吐出圧力の変化および電磁コイル１３２Ｄに印加される電圧の変化を示す図である。図１９は、第３の実施の形態に係る衛生洗浄装置の洗浄水の圧力変動の状態を変化させた場合の噴出状態表示パネル３９１の表示状態を示す図である。
【０１５９】
使用者はおしりを洗浄したい場合に、図１７のリモートコントローラ３３０のおしりスイッチ３０３を押下する。これにより、制御部４はポンプ１３Ｄの電磁ポンプ１３２Ｄに電圧Ｖｚを印加する。そして、ポンプ１３Ｄより吐出される洗浄水がノズル部３０を介して人体に噴出される。
【０１６０】
この場合、図１８（ａ）に示すように電磁コイル１３２Ｄには特定の周期Ｔｓで特定の電圧Ｖｚが印加されている。ポンプ１３Ｄの吐出圧力の変化は、図１８（ａ）の実線Ｐαに示す通りである。ここで、制御部４は、上述の様に噴出状態表示パネル３９１にノズル部３０より噴出される洗浄水の圧力変動の状態を図１９（ａ）の実線Ｎαに示すように表示させている。
【０１６１】
使用者はノズル部３０より噴出される洗浄水の圧力変動幅を小さくさせたい場合、図１７のリモートコントローラ３３０の振幅調整スイッチ３０２ｋを押下する。これにより、制御部４は、図１８（ｂ）に示すようにポンプ１３Ｄの電磁コイル１３２Ｄに印加する電圧値Ｖｚを小さくする。
【０１６２】
図１８（ｂ）によれば、ポンプ１３Ｄの電磁コイル１３２Ｄに印加される電圧値Ｖｚは、図１８（ａ）に示すおしり洗浄開始時の電圧値Ｖｚに比べ小さい。そして、電磁コイル１３２Ｄに印加される電圧値Ｖｚの減少に伴いポンプ１３Ｄより吐出される洗浄水の圧力変動幅が小さくなる。ここで、ポンプ１３Ｄより吐出される洗浄水の吐出圧力は図１８（ｂ）の実線Ｐβに示す通りである。
【０１６３】
図１８（ｂ）に示される実線Ｐβは小さい圧力変動幅を示している。また、図１８（ｂ）において破線で示されている圧力変動中心Ｐｚは、図１８（ａ）において破線で示されている圧力変動中心Ｐｚに比べ低くなっている。この場合、制御部４は、噴出状態表示パネル３９１にノズル部３０より噴出される洗浄水の圧力変動の状態を図１９（ｂ）の実線Ｎβに示すように表示させている。
【０１６４】
使用者はノズル部３０より噴出される洗浄水の圧力変動幅を大きくし、かつノズル部３０より噴出される洗浄水の圧力変動周期を長くしたい場合、図１７のリモートコントローラ３３０の周期調整スイッチ３０２ｇを押下し、振幅調整スイッチ３０２ｊを押下する。これにより、制御部４は、図１８（ｃ）に示すように電磁コイル１３２Ｄに印加する電圧値Ｖｚを大きくし、さらに電磁コイル１３２Ｄに印加する電圧Ｖｚの周期Ｔｓを長くする。
【０１６５】
図１８（ｃ）によれば、ポンプ１３Ｄの電磁コイル１３２Ｄに印加される電圧値Ｖｚは、図１８（ａ）に示すおしり洗浄開始時の電圧Ｖｚに比べ大きい。また、電磁コイル１３２Ｄに印加される電圧Ｖｚの周期Ｔｓは、おしり洗浄開始時の周期Ｔｓに比べ長い。
【０１６６】
そして、電磁コイル１３２Ｄに印加される電圧の電圧値の変化および周期の変化に伴い、ポンプ１３Ｄより吐出される洗浄水の圧力変動幅が大きくなり、圧力変動周期が長くなる。ここで、ポンプ１３Ｄより吐出される洗浄水の吐出圧力は図１８（ｃ）の実線Ｐγに示す通りである。
【０１６７】
図１８（ｃ）に示される実線Ｐγによれば、実線Ｐγは長い圧力変動周期を示し、かつ大きい圧力変動幅を示している。また、図１８（ｃ）において破線で示されている圧力変動中心Ｐｚは、図１８（ａ）において破線で示されている圧力変動中心Ｐｚに比べ高くなっている。この場合、制御部４は、噴出状態表示パネル３９１にノズル部３０より噴出される洗浄水の圧力変動の状態を図１９（ｃ）の実線Ｎγに示すように表示させている。
【０１６８】
上記において、制御部４は、電磁コイル１３２Ｄに印加する電圧の周期Ｔｓおよび電圧値と洗浄水の噴出圧力の変動状態との関係を示すデータを予め記憶しており、このデータに基づいて噴出状態表示パネル３９１の表示およびスピーカ３０１の音声出力を行う。
【０１６９】
以上に示すように、本実施の形態に係る衛生洗浄装置において、使用者は、リモートコントローラ３３０が備える流量調整スイッチ３０２ｄ，３０２ｅの押下操作によりノズル部３０より噴出される洗浄水の流量を調整することができ、周期調整スイッチ３０２ｆ，３０２ｇの押下操作によりノズル部３０より噴出される洗浄水の圧力変動周期を調整することができ、さらに、振幅調整スイッチ３０２ｊ，３０２ｋの押下操作によりノズル部３０より噴出される洗浄水の圧力変動幅を調整することができる。
【０１７０】
これにより、使用者は、ノズル部３０より噴出される洗浄水の流量、圧力変動幅および圧力変動周期をともに調整することができるので、自己の嗜好に応じた多様な洗浄感を容易に調整することができる。
【０１７１】
本実施の形態に係る衛生洗浄装置によれば、使用者は、流量調整スイッチ３０２ｄ，３０２ｅを押下操作して水勢表示パネル３９０に表示される情報を視認することにより、現在噴出されている洗浄水の流量を知ることができる。
【０１７２】
また、使用者は、周期調整スイッチ３０２ｆ，３０２ｇおよび振幅調整スイッチ３０２ｊ，３０２ｋを押下操作して噴出状態表示パネル３９１に表示される情報を視認することにより、現在噴出されている洗浄水の圧力変動周期および圧力変動幅を知ることができる。したがって、使用者は、現在の洗浄感がどのような洗浄水の流量、圧力変動周期および圧力変動幅により得られているかを認識することができるので、自己の嗜好に応じた種々の洗浄感を容易に調整することができる。
【０１７３】
本実施の形態に係る衛生洗浄装置においては、第２の実施の形態と同様にリモートコントローラ３３０にスピーカ３０１が設けられている。これにより、使用者が洗浄水の水勢調整を行う際、現在の洗浄水の流量、圧力変動周期および圧力変動幅がスピーカ３０１よりアナウンスされる。したがって、使用者はリモートコントローラ３３０の水勢表示パネル３９０および噴出状態表示パネル３９１を視認することが困難な場合であっても、ノズル部３０より噴出される洗浄水の流量、圧力変動周期および圧力変動幅を容易に知ることができるので、自己の嗜好に応じた種々の洗浄感を容易に調整することができる。
【０１７４】
本実施の形態に係る衛生洗浄装置においては、洗浄水をノズル部３０へ供給する加圧手段として電磁ポンプが用いられている。これにより、制御部４は、電磁コイル１３２Ｄに印加する電圧を制御することにより容易にノズル部３０より噴出される洗浄水の流量、圧力変動周期および圧力変動幅を変更することが可能となる。
【０１７５】
なお、上記に示す衛生洗浄装置においては、電磁コイル１３２Ｄに印加する電圧の周期および電圧値により、ノズル部３０より噴出される洗浄水の圧力変動周期および圧力変動幅を変化させているが、電磁コイル１３２Ｄに印加する電圧のデューティ比を調整してノズル部３０より噴出される洗浄水の圧力変動幅を変化させてもよい。
【０１７６】
以上に示す第１〜第３の実施の形態に係る衛生洗浄装置においては、加圧手段として電磁ポンプであるポンプ１３Ｄが用いられているが、ノズル部３０より噴出される洗浄水の噴出圧、圧力変動幅および圧力変動周期を変更可能なものであれば、加圧手段として電磁ポンプ以外のピストンポンプ等を用いてもよい。
【０１７７】
以上に示す第１〜第３の実施の形態に係る衛生洗浄装置においては、ノズル部３０が噴出手段に相当し、ポンプ１３Ｄが加圧手段に相当し、リモートコントローラ３００，３１０，３２０，３３０が設定手段に相当し、水勢表示パネル３９０、噴出状態表示パネル３９１およびスピーカ３０１が認知手段に相当する。
【０１７８】
また、プランジャ１３６Ｐが加圧部材に相当し、電磁コイル１３２Ｄが電磁コイルに相当する。さらに、噴出状態表示パネル３９１が第１の表示手段に相当し、スピーカ３０１が音声出力手段に相当し、切替弁１４が流量調節手段に相当し、水勢表示パネル３９０が第２の表示手段に相当する。
【０１７９】
【発明の効果】
本発明に係る衛生洗浄装置において、供給源から供給される洗浄水は、加圧手段により周期的な圧力変動を与えられ、加圧されることにより噴出手段より噴出する。噴出手段より噴出する洗浄水の圧力変動の態様は、設定手段により設定される。制御手段は、設定手段による設定に基づいて加圧手段の動作を制御し、洗浄水の圧力変動の態様を変化させる。認知手段は、噴出手段より噴出する洗浄水の圧力変動の態様を使用者に認知させる。
【０１８０】
この場合、使用者は、認知手段により現在噴出されている洗浄水の圧力変動の態様を知ることができるので、現在の洗浄感がどのような圧力変動に基づいて得られているかを知ることができる。これにより、使用者は、自己の嗜好に応じた種々の洗浄感がどのような圧力変動により得られるかを容易に知ることができる。
【０１８１】
また、使用者は、加圧手段により周期的な圧力変動が与えられた洗浄水で局部の洗浄を行うことができ、さらに、洗浄水の圧力変動の態様を容易に調整できるので、少ない流量で自己の嗜好に応じた洗浄感を得ることができる。
【図面の簡単な説明】
【図１】第１の実施の形態に係る衛生洗浄装置を便器に装着した状態を示す斜視図
【図２】図１のリモートコントローラの一例を示す模式図
【図３】第１の実施の形態に係る衛生洗浄装置の本体部の構成を示す模式図
【図４】熱交換器の構造の一例を示す一部切り欠き断面図
【図５】第１の実施の形態の衛生洗浄装置に用いられるポンプの構造の一例を示す断面図
【図６】ポンプの動作を示す模式的断面図
【図７】図５のポンプの稼動時におけるポンプ室内の圧力変化および電磁コイルに印加される電圧の変化を示す図
【図８】（ａ）切替弁の縦断面図、（ｂ）切替弁のＡ−Ａ線断面図、（ｃ）切替弁のＢ−Ｂ線断面図
【図９】図８の切替弁の動作を示す断面図
【図１０】図３のノズル部のおしりノズルの断面図
【図１１】図１０のおしりノズルの動作を説明するための断面図
【図１２】第１の実施の形態におけるおしりノズルの噴出孔より噴出される洗浄水の説明図
【図１３】第１の実施の形態に係る衛生洗浄装置の水勢調整に伴う図５のポンプの吐出圧力の変化および電磁コイルに印加される電圧の変化を示す図
【図１４】第１の実施の形態に係る衛生洗浄装置の水勢調整に伴う図２の噴出状態表示パネルの表示状態を示す図
【図１５】第１の実施の形態に係る衛生洗浄装置に適用可能なリモートコントローラの他の例を示す模式図
【図１６】第２の実施の形態に係る衛生洗浄装置が備えるリモートコントローラの一例を示す模式図
【図１７】第３の実施の形態に係る衛生洗浄装置が備えるリモートコントローラの一例を示す模式図
【図１８】第３の実施の形態に係る衛生洗浄装置においてノズル部より噴出される洗浄水の圧力変動の状態を変化させた場合のポンプの吐出圧力の変化および電磁コイルに印加される電圧の変化を示す図
【図１９】第３の実施の形態に係る衛生洗浄装置の洗浄水の圧力変動の状態を変化させた場合の噴出状態表示パネルの表示状態を示す図
【図２０】従来の衛生洗浄装置におけるリモートコントローラの一例を示す模式図
【符号の説明】
４　制御部
１３Ｄ　ポンプ
１４　切替弁
３０　ノズル部
１３２Ｄ　電磁コイル
１３６Ｐ　プランジャ
３００，３１０，３２０，３３０　リモートコントローラ
３０１　スピーカ
３０２ａ，３０２ｂ　水勢調整スイッチ
３０２ｃ　水勢調整ダイヤル
３０２ｄ，３０２ｅ　流量調整スイッチ
３０２ｆ，３０２ｇ　周期調整スイッチ
３０２ｊ，３０２ｋ　振幅調整スイッチ
３９０　水勢表示パネル
３９１　噴出状態表示パネル
【図１】
2004027678.tif 000003
【図２】
2004027678.tif 000004
【図３】
2004027678.tif 000005
【図４】
2004027678.tif 000006
【図５】
2004027678.tif 000007
【図６】
2004027678.tif 000008
【図７】
2004027678.tif 000009
【図８】
2004027678.tif 000010
【図９】
2004027678.tif 000011
【図１０】
2004027678.tif 000012
【図１１】
2004027678.tif 000013
【図１２】
2004027678.tif 000014
【図１３】
2004027678.tif 000015
【図１４】
2004027678.tif 000016
【図１５】
2004027678.tif 000017
【図１６】
2004027678.tif 000018
【図１７】
2004027678.tif 000019
【図１８】
2004027678.tif 000020
【図１９】
2004027678.tif 000021
【図２０】
2004027678.tif 000022